(57)【要約】【課題】オペレータにかかるストレスを大幅に低減する。【解決手段】先ず最初に、時系列に蓄積されているデータから例えば正時毎のデータを取得し、時間軸を横軸としてグラフ表示する。次に、時系列に蓄積されているデータから例えば「正時＋３０分」毎のデータを取得し、正時毎のデータと重ねてグラフ表示する。以下、同様にして、時間間隔の時間軸上の位置をずらしながら、データの取得および取得したデータのグラフ表示を繰り返す。これにより、初期画面の表示速度が速くなり、また徐々にグラフが完成されて行き、全てのデータが出揃う前に大体の傾向をつかむことができ、オペレータにかかるストレスが大幅に軽減される。【選択図】  図５
2005190107.tif 000002
【特許請求の範囲】
【請求項１】
時系列に収集蓄積されたデータを所定の時間間隔で間引いて取得する工程と、
前記時間間隔で間引いて取得されたデータをトレンドグラフの表示区間にわたってグラフ表示する工程と、
前記データの取得および取得したデータのグラフ表示を前記時間間隔の時間軸上の位置をずらしながら繰り返させる工程と
を備えたトレンドグラフ表示方法。
【請求項２】
時系列に収集蓄積されたデータを所定の時間間隔で間引いて取得する手段と、
前記時間間隔で間引いて取得されたデータをトレンドグラフの表示区間にわたってグラフ表示する手段と、
前記データの取得および取得したデータのグラフ表示を前記時間間隔の時間軸上の位置をずらしながら繰り返させる手段と
を備えたトレンドグラフ表示装置。
【発明の詳細な説明】
【技術分野】
【０００１】
この発明は、時系列に蓄積されているデータを取得しグラフ表示するトレンドグラフ表示方法に関するものである。
【背景技術】
【０００２】
従来より、プラントや建物などには、設備の状態や室内の状態などを監視する監視システムが設けられている（例えば、特許文献１参照）。この監視システムは、中央監視装置を有し、中央監視装置には通信回線を介してコントローラが接続されている。コントローラは、各機器の制御を担当するとともに、機器の運転状態を示すデータや室内温度などの計測データを定期的に収集し、蓄積する。
【０００３】
中央監視装置側にはオペレータがいる。オペレータは、中央監視装置のディスプレイ上に、データを指定してそのトレンドグラフを表示させることができる。例えば、所望の部屋の温度データを指定すると、その温度データが蓄積されているコントローラへデータの送信要求が送られる。コントローラは、中央監視装置からの送信要求を受けて、指定された温度データを中央監視装置へ返送する。例えば、トレンドグラフの表示区間（表示対象期間）を１日とした場合、コントローラに時系列に蓄積されている１日分の温度データ（１日分の全ての時系列データ）を中央監視装置に返送する。中央監視装置は、コントローラから送られてくる温度データの全てを取得した後、その取得した温度データを時間軸を横軸としてディスプレイ上に一括して表示する。
【０００４】
【特許文献１】特開２００３−５８２４７号公報
【発明の開示】
【発明が解決しようとする課題】
【０００５】
しかしながら、上述した従来のトレンドグラフの表示方法によると、最近では短い収集周期（例えば、１分周期）のデータを表示する要求が高く、コントローラから中央監視装置へ送る時系列データの量が膨大となり、通信時間が増大し、グラフが表示されるまでに時間がかかり、オペレータに大きなストレスがかかるという問題があった。
【０００６】
本発明は、このような課題を解決するためになされたもので、その目的とするところは、オペレータにかかるストレスを低減することができるトレンドグラフ表示方法および装置を提供することにある。
【課題を解決するための手段】
【０００７】
このような目的を達成するために本発明は、時系列に収集蓄積されたデータを所定の時間間隔で間引いて取得する工程（手段）と、前記時間間隔で間引いて取得されたデータをトレンドグラフの表示区間にわたってグラフ表示する工程（手段）と、前記データの取得および取得したデータのグラフ表示を前記時間間隔の時間軸上の位置をずらしながら繰り返させる工程（手段）とを設けたものである。
この発明によれば、先ず最初に、時系列に収集蓄積されているデータから例えば正時毎のデータが取得され、グラフ表示される。次に、時系列に収集蓄積されているデータから例えば「正時＋３０分」毎のデータが取得され、正時毎のデータと重ねてグラフ表示される。以下、同様にして、時間間隔の時間軸上の位置をずらしながら、データの取得および取得したデータのグラフ表示が繰り返される。このグラフは、データの取得を繰り返す毎に、徐々に完成されて行く。
【発明の効果】
【０００８】
本発明によれば、時間間隔をずらしながらデータの取得および取得したデータのグラフ表示が繰り返されるものとなり、初期画面（１回目のグラフ）の表示速度が速くなり、また徐々にグラフが完成されて行き、全てのデータが出揃うまえに大体の傾向をつかめることができ、オペレータにかかるストレスを大幅に低減することができるようになる。
【発明を実施するための最良の形態】
【０００９】
以下、本発明を図面に基づいて詳細に説明する。図１はこの発明に係るトレンドグラフ表示方法の実施に用いる監視システムの一例の要部を示すブロック構成図である。
【００１０】
同図において、１はビルの中央監視室に設けられた中央監視装置、２はビル内に分散して設けられたコントローラ、３は空調設備や熱源設備，照明設備などの設備である。中央監視装置１とコントローラ２とは通信回線Ｌを介して接続されている。
【００１１】
この例では、コントローラ２−１が空調設備３−１に対して設けられ、コントローラ２−２が熱源設備３−２に対して設けられ、コントローラ２−３が照明設備３−３に対して設けられている。
【００１２】
コントローラ２−１は、空調設備３−１の各機器の制御を担当するとともに、空調設備３−１の各機器の運転状態を示すデータや各部屋の室内温度などの計測データを例えば１分周期で収集し、自己のメモリに蓄積する。
【００１３】
コントローラ２−２は、熱源設備３−２の各機器の制御を担当するとともに、熱源設備３−２の各機器の運転状態を示すデータや熱源水の温度などの計測データを例えば１分周期で収集し、自己のメモリに蓄積する。
【００１４】
コントローラ２−３は、照明設備３−３の各機器の制御を担当するとともに、照明設備３−２の各機器の運転状態を示すデータや電力量などの計測データを例えば１分周期で収集し、自己のメモリに蓄積する。
【００１５】
図２は、中央監視装置１のハードウエア構成の概略を示す図である。同図において、１−１はＣＰＵ、１−２はＲＡＭ、１−３はＲＯＭ、１−４はハードディスクなどの記憶装置、１−５〜１−７はインターフェイス、１−８はディスプレイ、１−９はキーボード、１−１０はマウスである。
【００１６】
ＣＰＵ１−１は、インターフェイス１−５〜１−７を介して与えられる各種入力情報を得て、ＲＡＭ１−２にアクセスしながら、ＲＯＭ１−３や記憶装置１−４に格納されたプログラムに従って動作する。記憶装置１−４には、本実施の形態特有のプログラムとして、トレンドグラフ表示プログラムが格納されている。このトレンドグラフ表示プログラムは、例えばＣＤ−ＲＯＭなどの記録媒体に記録された状態で提供され、この記録媒体から読み出されて記憶装置１−４にインストールされている。
【００１７】
以下、図３に示すフローチャートを用いて、記憶装置１−４に格納されているトレンドグラフ表示プログラムに従うＣＰＵ１−１の処理動作について説明する。
オペレータにより、ディスプレイ１−８上で、トレンドグラフとして例えば「事務室の温度」が選択されると（ステップ３０１）、ＣＰＵ１−１は、そのメモリ内に事務室の温度データが蓄積されているコントローラ２−１へデータの送信要求を送る。
【００１８】
なお、この実施の形態では、例えば、ディスプレイ１−８にビルの各階の平面図が表示され、その平面図内に「事務室の温度」というように、各種管理ポイントの名称が表示されるものとする。この平面図上で、「事務室の温度」を選択指定することにより、コントローラ２−１へデータの送信要求が送られる。また、本実施の形態において、トレンドグラフの表示区間は１日と定められ、所望の日にちをディスプレイ１−８上から指定することができるものとする。
【００１９】
このデータの送信要求に際し、ＣＰＵ１−１は、カウント値ｉをｉ＝１とし（ステップ３０２）、１回目（ｉ＝１回目）のデータとして、コントローラ２−１のメモリに時系列に蓄積されている事務室の温度データのうち正時毎のデータを送信するように要求する。これにより、ＣＰＵ１−１は、１回目のデータとして、コントローラ２−１のメモリに時系列に蓄積されている事務室の温度データの全てではなく、１時間間隔で間引かれた１日分の正時毎のデータを取得する（ステップ３０３：図４（ａ）参照）。そして、この取得したデータを図５（ａ）に示すように、時間軸を横軸としてディスプレイ１−８上に表示する（ステップ３０４）。
【００２０】
このとき、ディスプレイ１−８上に表示されるグラフが初期画面（１回目のグラフ）であり、この初期画面の表示速度はそのデータ量が少ない分、速くなる。すなわち、１時間間隔で間引かれた正時毎のデータであるので、コントローラ２−１から中央監視装置１へ送るデータ量が少なく、通信時間が短くなり、初期画面の表示速度が速くなる。
【００２１】
次に、ＣＰＵ１−１は、カウント値ｉをｉ＝ｉ＋１＝２とし（ステップ３０５）、２回目（ｉ＝２回目）のデータとして、コントローラ２−１のメモリに時系列に蓄積されている事務室の温度データのうち「正時＋３０分」毎のデータを送信するように要求する。これにより、ＣＰＵ１−１は、２回目のデータとして、コントローラ２−１のメモリに時系列に蓄積されている事務室の温度データのうち、１時間間隔で間引かれた１日分の「正時＋３０分」毎のデータを取得する（ステップ３０３：図４（ｂ）参照）。そして、この取得したデータを図５（ｂ）に示すように、ディスプレイ１−８上に１回目のデータと重ねて表示する（ステップ３０４）。
【００２２】
次に、ＣＰＵ１−１は、カウント値ｉをｉ＝ｉ＋１＝３とし（ステップ３０５）、３回目（ｉ＝３回目）のデータとして、コントローラ２−１のメモリに時系列に蓄積されている事務室の温度データのうち「正時＋１５分」毎のデータを送信するように要求する。これにより、ＣＰＵ１−１は、３回目のデータとして、コントローラ２−１のメモリに時系列に蓄積されている事務室の温度データのうち、１時間間隔で間引かれた１日分の「正時＋１５分」毎のデータを取得する（ステップ３０３：図４（ｃ）参照）。そして、この取得したデータを図５（ｃ）に示すように、ディスプレイ１−８上に重ねられた１回目と２回目とのデータにさらに重ねて表示する（ステップ３０４）。
【００２３】
以下同様にして、時間間隔の時間軸上の位置をずらしながら、全てのデータが終了するまで（ステップ３０６のＹＥＳ）、データの取得および取得したデータのグラフ表示を繰り返す。これにより、徐々にグラフが完成されて行き、全てのデータの取得を終了した時点で完全なグラフが表示されるものとなる。このような画面表示によって、全てのデータが出揃う前に大体の傾向をつかむことができ、オペレータにかかるストレスが大幅に軽減される。
【図面の簡単な説明】
【００２４】
【図１】本発明に係るトレンドグラフ表示方法の実施に用いる監視システムの一例の要部を示すブロック構成図である。
【図２】この監視システムにおける中央監視装置のハードウエア構成の概略を示す図である。
【図３】中央監視装置におけるＣＰＵが行うトレンドグラフ表示プログラムに従う処理動作を説明するフローチャートである。
【図４】時間間隔の時間軸上の位置をずらしながらのデータの取得動作を説明する図である。
【図５】時間間隔の時間軸上の位置をずらしながら取得されたデータの表示例を示す図である。
【符号の説明】
【００２５】
１…中央監視装置、２（２−１〜２−３）…コントローラ、３（３−１〜３−３）…設備、１−１…ＣＰＵ、１−２…ＲＡＭ、１−３…ＲＯＭ、１−４…記憶装置、１−５〜１−７…インターフェイス、１−８…ディスプレイ、１−９…キーボード、１−１０…マウス、Ｌ…通信回線。
【図１】
2005190107.tif 000003
【図２】
2005190107.tif 000004
【図３】
2005190107.tif 000005
【図４】
2005190107.tif 000006
【図５】
2005190107.tif 000007